【手続補正書】
【提出日】平成18年3月15日(2006.3.15)
【手続補正１】
【補正対象書類名】明細書
【補正対象項目名】全文
【補正方法】変更
【補正の内容】
【書類名】        明細書
【発明の名称】    施肥装置付き田植機
【特許請求の範囲】
【請求項１】  自走車体の後部に、機体横方向に並ぶ複数の苗植付機構が付いている苗植付装置を昇降操作自在に連結し、前記複数の苗植付機構による苗植え箇所の付近に各別に肥料供給する施肥装置を備えてある施肥装置付き田植機であって、
前記複数の苗植付機構の一部に対する伝動を入り切りする少数条植えクラッチの複数を各別に入り切り操作自在に備え、
前記複数の苗植付機構の一部に対応する施肥を入り切りする少数条施肥クラッチの複数を各別に入り切り操作自在に備え、
制御対象とする苗植付機構が同一である前記少数条植えクラッチと前記少数条施肥クラッチとを連動させて切り換え操作する一つのクラッチ操作具を、前記複数の少数条植えクラッチ及び少数条施肥クラッチのそれぞれに対応させて備え、
前記複数のクラッチ操作具に優先して前記複数の少数条植えクラッチを入り側に維持しながら前記複数の少数条施肥クラッチを切り側に切り換え操作する一つのクラッチ一括操作具を備えてある施肥装置付き田植機。
【請求項２】  前記クラッチ操作具を、前記施肥装置における肥料供給装置部と肥料供給装置部の前側に位置する運転座席との間に揺動操作自在に設け、
クラッチ入り位置では、前記クラッチ操作具が全体にわたって肥料供給装置部の最前端部より車体後方側に引退した取付け状態になる請求項１に記載の施肥装置付き田植機。
【発明の詳細な説明】
【０００１】
【発明の属する技術分野】
本発明は、自走車体の後部に、機体横方向に並ぶ複数の苗植付機構が付いている苗植付装置を昇降操作自在に連結し、前記複数の苗植付機構による苗植え箇所の付近に各別に肥料供給する施肥装置を備えてある施肥装置付き田植機に関する。
【０００２】
【従来の技術】
上記田植機において、従来、複数の苗植付機構の一部に対する伝動を入り切りする少数条植えクラッチ、及び、複数の苗植付機構の一部に対応する施肥を入り切りする少数条施肥クラッチを備えたものがあった。
【０００３】
【０００４】
【０００５】
【０００６】
【発明が解決しようとする課題】
前記少数条植えクラッチ及び少数条施肥クラッチを備えたものにおいて、従来、両クラッチに連動している一つのクラッチ操作具が備えられ、一部の苗植付機構による苗植え付けを停止させながらの苗植え付け作業、いわゆる端数条植え作業と、全数条植え作業との切り換えを行うに当たり、一つのクラッチ操作具を操作するだけで両クラッチを切り換え操作できるものがあった。
【０００７】
この種の田植機において、施肥を行わない全数条植え作業を行う場合、従来、施肥が行われないように少数条施肥クラッチをクラッチ操作具によって切り側に切り換えると、少数条植えクラッチも切り側に切り換わって苗植付機構が駆動されないことから、肥料繰出し装置に備えられているシャッターを閉じ側に切り換え操作して肥料繰出し装置の繰出し作動部に肥料が供給されなくなるようにすることにより、植付け作業を行なわれていた。このため、複数の肥料繰出し装置それぞれに備えられているシャッターを操作せねばならず、手間が掛かっていた。
【０００８】
また、この種の田植機において、クラッチ操作具の配置具合によっては、作業の切り換えや苗補給の際などに不具合が発生する。
すなわち、クラッチ操作具が肥料供給装置部より苗植付装置の方に位置していると、運転部から操作しにくくなり、端数条植え作業と全数条植え作業との切り換えを行うには、クラッチ操作具を操作するために、運転部から降りる必要があって手間が掛かることになる。また、クラッチ操作具が肥料供給装置部より運転部の方にあっても、運転部から苗植付装置の苗補給をする際、クラッチ操作具が突出していると障害物になるとか身体に触れて動くなどの事態が発生しやすくなる。
【０００９】
【００１０】
【００１１】
【００１２】
【００１３】
本発明の目的は、作業形態の切り換えが操作簡単に行え、少数条施肥クラッチの切り換えや苗補給などが行いやすい施肥装置付き田植機を提供することにある。
【００１４】
【課題を解決するための手段】
請求項１による発明の構成、作用、効果はつぎのとおりである。
【００１５】
［構成］
自走車体の後部に、機体横方向に並ぶ複数の苗植付機構が付いている苗植付装置を昇降操作自在に連結し、前記複数の苗植付機構による苗植え箇所の付近に各別に肥料供給する施肥装置を備えてある施肥装置付き田植機において、
前記複数の苗植付機構の一部に対する伝動を入り切りする少数条植えクラッチの複数を各別に入り切り操作自在に備え、前記複数の苗植付機構の一部に対応する施肥を入り切りする少数条施肥クラッチの複数を各別に入り切り操作自在に備え、制御対象とする苗植付機構が同一である前記少数条植えクラッチと前記少数条施肥クラッチとを連動させて切り換え操作する一つのクラッチ操作具を、前記複数の少数条植えクラッチ及び少数条施肥クラッチのそれぞれに対応させて備え、
前記複数のクラッチ操作具に優先して前記複数の少数条植えクラッチを入り側に維持しながら前記複数の少数条施肥クラッチを切り側に切り換え操作する一つのクラッチ一括操作具を備えてある。
【００１６】
［作用］
複数のクラッチ操作具から適切なものを選択して操作すれば、少数条植えクラッチと少数条施肥クラッチとが連動して入り側や切り側に切り換わり、所望の一部の苗植付機構が駆動されて苗の植え付けが行なわれるとともに、この植付け苗に対する施肥が行なわれたり、所望の一部の苗植付機構が停止して苗植え付けが停止するとともにこの植付け条のための施肥も停止する。
【００１７】
クラッチ一括操作具を操作すれば、複数の少数条植えクラッチを入り側に維持しながら複数の少数施肥クラッチを前記クラッチ操作具に優先して切り側に切り換え、複数の苗植付機構を駆動させて苗植え付けを行わせながら、各苗植付機構による植付け苗に対する施肥を停止させられる。
【００１８】
［効果］
したがって、所定のクラッチ操作具を操作するだけで操作簡単に一部の少数条植えクラッチも少数条施肥クラッチも入り側や切り側に切り換わって端数条植え作業をしたり、全数条植え作業をすることができる。その割には、クラッチ一括操作具を操作するだけで操作簡単に複数の少数条植えクラッチを入り側にしながら複数の少数条施肥クラッチを切り側にして施肥を行わない全数条植え作業を行える。
【００１９】
請求項２による発明の構成、作用、効果はつぎのとおりである。
【００２０】
［構成］
請求項１による発明において、クラッチ操作具を施肥装置における肥料供給装置部と肥料供給装置部の前側に位置する運転座席との間に揺動操作自在に設け、クラッチ入り位置ではラッチ操作具が全体にわたって肥料供給装置部の最前端部より車体後方側に引退した取付け状態になる。
【００２１】
［作用］
クラッチ操作具を肥料供給装置部と、この肥料供給装置部の前側に位置する運転座席との間に揺動操作自在に設けてあるものだから、運転部からクラッチ操作具を操作することができ、このクラッチ操作具を操作すれば、一部の苗植付機構が駆動されて苗の植え付けが行なわれるとともに、この植付け苗に対する施肥が行なわれたり、一部の苗植付機構が停止して苗植え付けが停止するとともにこの植付け条のための施肥も停止する。
【００２２】
作業時には一般にクラッチ操作具はクラッチ入り位置に操作されており、このクラッチ入り位置では、クラッチ操作具が全体にわって肥料供給装置部の最前端部より車体後方側に引退しているものだから、運転部から苗植付装置の苗補給を行う際、クラッチ操作具が肥料供給装置部によってカバーされて障害物になりにくいとか身体に触れにくい状態になっている。
【００２３】
［効果］
したがって、クラッチ操作具を操作するだけで操作簡単に少数条植えクラッチも少数条施肥クラッチも切り換わるとともに、クラッチ操作具を運転部から操作することができて楽にかつ迅速に少数条植え作業と全数条植え作業とに切り換えられる。
しかも、運転部から苗補給など苗植付装置に対する操作を行うに当たり、クラッチ操作具が障害物になりにくいとか身体に触れにくくて容易に行える。
【００２４】
【００２５】
【００２６】
【００２７】
【００２８】
【００２９】
【００３０】
【００３１】
【００３２】
【００３３】
【００３４】
【００３５】
【００３６】
【発明の実施の形態】
図１、図２に示すように、左右一対の操向操作な前車輪１と、左右一対の後車輪２とがエンジン１１からの駆動力によって駆動されて自走し、かつ、前記エンジン１１が設けられている原動部１０の両横側に位置する予備苗収容装置３、車体後部に位置する運転座席４が設けられている搭乗型運転部のそれぞれを備えている自走車体の後部に、リンク機構６を介して苗植付装置２０を連結するとともに、リンク機構６にロッド側が連結しているリフトシリンダ７によってリンク機構６を車体に対して上下に揺動操作することによって苗植付装置２０を昇降操作するように構成し、前記エンジン１１からの駆動力を回転軸８によって苗植付装置２０に伝達するように構成し、運転座席４の後側に位置する車体横方向に長い一つの肥料タンク３１が付いている施肥装置Ｓを備えさせて、施肥装置付き乗用型田植機を構成してある。
【００３７】
この田植機は、苗植付装置２０を接地フロート２１が田面に接地した下降作業状態にして自走車体を走行させることにより、苗植付装置２０が植付け機体の横方向に並んでいる複数の苗植付機構２２によって複数条の苗植え付けを行っていき、これと同時に、施肥装置Ｓが複数条の植付け苗それぞれの横側付近に粒状の肥料を供給していくものであり、詳しくは、次の如く構成してある。
【００３８】
図１、図２、図３などに示すように、苗植付装置２０は、前記回転軸８から入力するフィードケース２３、植付け機体の横方向に並ぶ複数個の植付けケース２４などで成る植付け機体フレームと、前記各植付けケース２４の後端部の両横側に駆動回動自在に付設してある前記苗植付機構２２と、前記植付け機体フレームの前端側の上方に植付け機体の横方向に摺動自在に設けてあるとともに各苗植付機構２２の苗植え運動に連動して左右方向の往復移送されて各苗植付機構２２に苗供給する苗載せ台２５と、前記植付け機体フレームの下部に植付け機体の横方向に並べて後端側の軸芯まわりで上下揺動するように付設してある前記複数個の接地フロート２１とを備えて構成してある。
【００３９】
図１、図３、図４などに示すように、施肥装置Ｓは、肥料タンク３１を備えている肥料供給装置部３０と、この肥料供給装置部３０の車体横方向に並んでいる複数個の肥料排出口４１から各別に苗植付装置２０の方に延出し、延出端側が苗載せ台２５の裏面側に位置している複数本の肥料供給路５０と、この複数本の肥料供給路５０の延出端部に各別に接続してあるとともに前記各苗植付機構２２の横側近くに一つずつ位置する配置で植付け機体の横方向に並べて前記接地フロート２１に固定してある複数個の作溝施肥具７０と、運転座席４の下方に位置する送風機６１を備えている送風装置部６０とによって構成してある。
【００４０】
図４、図５などに示すように、肥料供給装置部３０は、蓋３２が上部に揺動開閉自在に付いているとともにこの蓋３２を開けなくとも外部から内部が見えるように蓋３２もタンク本体も透明の樹脂材で作製してある前記肥料タンク３１と、この肥料タンク３１の車体横方向に並んでいる複数個の下細り底部３１ａのそれぞれに２個ずつ連結する状態で肥料タンク３１の下部に車体横方向に並んで連結している複数個の肥料繰出し装置４０とによって構成してある。
【００４１】
図６〜図９などに示すように、前記各肥料繰出し装置４０は、肥料タンク３１の前記下細り底部３１ａに上端側が連結しているとともに外部から内部が見えるように透明の樹脂材で作製してある繰出しケース４２、この繰出しケース４２の内部に位置する左右一対の繰出し室の一方に回転自在に設けてある繰出しロール４３、前記繰出しケース４２の下端側に前記一対の繰出し室に各別に連通させて車体横方向に並べて設けてある２個の前記肥料排出口４１のうちの一方の肥料排出口４１、繰出しケース４２の内部に繰出しロール４３に対して肥料供給するように設けてある供給口４４のための２枚のシャッター４５などを備えて構成してある。
【００４２】
すなわち、各肥料繰出し装置４０は、前記各シャッター４５の一端側に連結している摺動ロッドで成る繰出し量調節具４６の繰出しケース４２から外部に突出している端部に操作ノブを付設して設けてある操作部４６ａにより、前記繰出し量調節具４６を図９の如き操作ガイド１１８のガイド溝１１８ａに沿わせて摺動操作することによって、２枚のシャッター４５の少なくとも一方を繰出しケース４２の内部に位置するシャッター収容室４５ａに押し込み操作して前記供給口４４を開けた状態にし、他方の繰出し室に位置する繰出しロール４３の回転支軸に兼用してある回転支軸４７が駆動されることにより、繰出しロール４３によって肥料タンク３１から肥料排出口４１に肥料を繰出す。すなわち、繰出しロール４３が回転支軸４７によって水平向きの軸芯まわりで繰出し方向の回転するように駆動され、肥料タンク３１の排出口３１ｂから繰出しケース４２の内部に流下して前記供給口４４から繰出しロール４３の上側に供給された肥料を繰出しロール４３の周面にロール回転方向に並んでいる図６、図７の如き複数個の繰出し凹部４３ａによって繰出しロール４３の下側に取り出して繰出し室の出口から肥料排出口４１に流下させる。
【００４３】
肥料タンク３１の一つの下細り底部３１ａに連結している２個の肥料繰出し装置４０にあっては、一方の肥料繰出し装置４０の繰出しケース４２と、他方の肥料繰出し装置４０の繰出しケース４２とを単一部品に作製して構成してあり、両肥料繰出し装置４０の繰出しロール４３が１本の回転支軸４７によって回転操作自在に支持されている。そして、肥料タンク３１の車体内側に位置する一つの下細り底部３１ａに連結している２個の肥料繰出し装置４０のうちの一方の繰出し装置４０にあっては、前記供給口４４を蓋体によって閉じて、使用しないようになっている。
【００４４】
図１０〜図１２に示すように、前記送風装置部６０は、ブロワ６２及びこのブロワ６２を駆動する電動モータ６３が備えられている前記送風機６１と、前記各繰出し装置４０の下端部の前側に連結している送風ダクト６５と、前記送風機６１のブロワ６２の吸気口６２ａから車体前方側に延出して延出端側が原動部１０に開口している吸気ダクト６８とを備えて構成してある。
【００４５】
図１２に示すように、前記吸気ダクト６８の原動部１０に位置している開口６８ａは、エンジン排気マフラー１２に対して外嵌するように装着してある筒型のマフラーカバー１３の後端側に対して、マフラーカバー１３の振動が吸気ダクト６８に伝達することを抑制する蛇腹形のゴム筒１４を介して接続してある。
【００４６】
図６、図１０、図１３、図１５などに示すように、前記送風ダクト６５は、前記複数の肥料繰出し装置４０それぞれの前記繰出しケース４２の下端部の前面側に前記肥料排出口４１に対して車体前後方向に一直線状に並んで連通するようにして設けてある風取入れ口４８に対して接続している車体横向きの丸パイプ形状の分配ダクト部６６と、この分配ダクト部６６の車体横方向での中央部に位置する部分６６ａから車体下方向きで、かつ、やや前方向きに延出しているとともに前記中央部分６６ａとの単一部品になるようにこの中央部分６６ａに一体成形してある導入ダクト部６７とによって構成してある。図１３などに示すように、送風ダクト６５の前記導入ダクト部６７は、運転座席４の後方の車体左右方向での中央部に、車体フレームの後部の上方を覆っている車体カバー７１を貫通している状態に配置してあり、前記導入ダクト部６７の導入口６７ａは、前記車体カバー７１の下方で前記ブロワ６２の吹出し口６２ｂに対して継ぎ手６９によって接続してある。
【００４７】
つまり、送風装置部６０は、エンジン排気マフラー１２によってマフラーカバー１３の内部で加熱されて温度上昇した空気を、電動モータ６３によって駆動されるブロワ６２によって吸気ダクト６８を介して吸引して温度の高い肥料搬送風を発生させ、この肥料搬送風を吹出し口６２ｂから送風ダクト６５の導入ダクト部６７を通して分配ダクト部６６に送り込み、この分配ダクト部６６によって複数個の肥料繰出し装置４０に分配して各肥料繰出し装置４０の風取入れ口４８から肥料排出口４１に供給する。
【００４８】
各肥料繰出し装置４０の繰出しロール４３は、図４の如く各肥料繰出し装置４０の前記繰出しケース４２の後面側にわたって回転自在に取付けた車体横向きの１本の六角軸で成る繰出し駆動軸８１を備えている施肥駆動装置８０によって駆動すように構成してあり、この施肥駆動装置８０は、図４、図５、図７などに示す如く構成してある。
【００４９】
すなわち、施肥駆動装置８０は、前記繰出し駆動軸８１と、この繰出し駆動軸８１と前記繰出しロール４３を２個ずつ一体回転自在に支持している前記複数本の回転支軸４７それぞれとの間に設けた少数施肥クラッチ９０と、図１７、図１９の如く繰出し駆動軸８１に出力側回転体８２ａ，８３ａが一体回転自在に連結している第１及び第２一方向回転クラッチ８２，８３と、両一回転方向クラッチ８２，８３の入力側回転体８２ｂ，８３ｂどうしを連動させているリンク機構８４と、第１一回転方向クラッチ８２の入力側回転体８２ｂから一体回転自在に延出している操作アーム８５と、この操作アーム８５にアーム側連動部材９６が連結している施肥量調節機構９５と、この施肥量調節機構９５の駆動側連動部材９７に一端側が相対回転自在に連結している丸棒材で成る駆動杆８６と、この駆動杆８６の他端側にクランクアーム８７ａが相対回転自在に連結している動力取出し機構８７とを備えて構成してある。
【００５０】
図７、図１６に示すように、前記各少数条施肥クラッチ９０は、前記回転支軸４７の肥料繰出しケース４２から外部に突出している端部に一体回転自在に設けてあるギヤ部４７ａに噛合っている状態で前記繰出し駆動軸８１によって相対回転自在に支持されている出力ギヤ９１と、繰出し駆動軸８１によって摺動自在に支持されているとともに繰出し駆動軸８１の六角形状のために繰出し駆動軸８１と一体回転する入力側部材９２と、この入力側部材９２と前記出力側部材９１との間に設けた噛合い形式のクラッチ本体９０ａと、入力側部材９２を摺動付勢しているクラッチバネ９３とを備えて成り、入力側部材９２の操作溝に操作ピン９４ａによって係合している操作部９４を揺動操作すると、この操作部９４に伝達される人為操作力と、クラッチバネ９３による操作力とのために入力側部材９２が繰出し駆動軸８１に対して摺動してクラッチ本体９０ａの入力側部材９２のクラッチ爪を出力ギヤ９１のクラッチ爪に対して係脱させることにより、繰出し駆動軸８１の回動力を入力側部材９２、クラッチ本体９０ａ、出力側部材９１を介して回転支軸４７のギヤ部４７ａに伝達して２個の肥料繰出し装置４０の繰出しロール４３を纏めて駆動するように入り状態になったり、繰出し駆動軸８１から回転支軸４７に対する伝動を絶つことによって２個の肥料繰出し装置４０繰出しロール４３の駆動を一挙に停止するように切り状態になったりする。
【００５１】
図１７、図１９に示すように、前記リンク機構８４は、第１一回転方向クラッチ８２の前記入力側回転体８２ｂに一端側が連結しているロッド製の連動リンク８４ａと、この連動リンク８４ａの他端側が一方のアーム部に連結しているとともに支持部材８８によって揺動自在に支持されている揺動リンク８４ｂと、この揺動リンク８４ｂの他方のアーム部を第２一回転方向クラッチ８３の入力側回転体８３ｂに連動させているロッド製の連動リンク８４ｃとで成り、前記操作アーム８５の繰出し駆動軸８１の軸芯まわりでの往復揺動による各肥料繰出し装置４０の繰出しロール４３の駆動を可能にしている。
すなわち、操作アーム８５が上昇側（図１７の矢印イ側）に揺動操作されると、この操作アーム８５の回動力が第１一方向回転クラッチ８２によって繰出し駆動軸８１に伝達される。このとき、第１一方向回転クラッチ８２の入力側回転体８２ｂの回動力のために連動リンク８４ａが揺動リンク８４ｂを揺動操作し、この揺動リンク８４ｂが連動リンク８４ｃを介して第２一方向回転クラッチ８３の入力側回転体８３ｂを回転操作するが、この入力側回転体８３ｂは、繰出し方向とは反対の回転方向に回転操作されて出力側回転体８３ａに対して空回りする。そして、操作アーム８５が下降側（図１７の矢印ロ側）に揺動操作されると、第１一方向回転クラッチ８２の入力側回転体８２ｂが出力側回転体８２ａに対して空回りする。このとき、第１一方向回転クラッチ８２の入力側回転体８２ｂの回動力のために連動リンク８４ａが揺動リンク８４ｂを揺動操作し、この揺動リンク８４ｂが連動リンク８４ｃを介して第２一方向回転クラッチ８３の入力側回転体８３ｂを繰出し方向に回転操作し、リンク機構８４が第２一方向回転クラッチ８３を介して繰出し駆動軸８１を駆動する。
【００５２】
図４などに示すように、動力取出し機構８７は、エンジン１１からの駆動力を図１の後輪駆動ケース７２に伝達する回転軸７３の途中からこの駆動力を取り出してこの駆動力によってクランクアーム８７ａを回動するように駆動し、この回動するクランクアーム８７ａによって駆動杆８６を往復駆動するように構成してある。
【００５３】
これにより、施肥駆動装置８０は、左右後輪２に動力伝達する回転軸７３の駆動力によってクランクアーム８７ａを駆動してこのクランクアーム８７ａによって駆動杆８６を往復駆動し、この駆動杆８６の往復動力を施肥量調節機構９５を介して操作アーム８５に伝達してこの操作アーム８５を繰出し駆動軸８１の軸芯まわりで往復揺動させ、この操作アーム８５によって一対の一方向回転クラッチ８２，８３とリンク機構８４とを介して繰出し駆動軸８１を回駆動し、この繰出し駆動軸８１の駆動力を各肥料繰出し装置４０の繰出しロール４３の回転支軸４７に少数条施肥クラッチ９０を介して伝達することにより、各肥料繰出し装置４０の繰出しロール４３を所定の繰出し回転方向にのみ回転するように駆動する。
【００５４】
つまり、施肥装置Ｓは、次の如く施肥を行うようになっている。
すなわち、肥料供給装置部３０の各肥料繰出し装置４０の繰出しロール４３を、左右後輪２に動力伝達する前記回転軸７３の駆動力を動力源とする施肥駆動装置８０によって駆動し、この繰出しロール４３によって肥料タンク３１から粒状の肥料を繰出し凹部４３ａの容積と、開き操作してあるシャッター４５の枚数とによって決まる設定量ずつで肥料排出口４１に繰出し、この肥料を、送風装置部６０の送風機６１と送風ダクト６５とによって肥料排出口４１に供給された肥料搬送風によって肥料供給路５０を通して作溝施肥具７０に供給し、各作溝施肥具７０によって苗植付機構２２による植付け苗の横側近くで田面に溝を形成してこの溝の内部に肥料を落下させていくようになっている。
【００５５】
そして、各肥料繰出し装置４０において、２枚のシャッター４５を前記繰出し量調節具４６によって開閉調節することによって肥料の繰出しを入り切りしたり、肥料の繰出し量を調節するようになっている。
すなわち、２枚のシャッター４５のいずれもを閉じ側に操作すると、供給口４４が全閉状態になり、繰出しロール４３に対して肥料が供給されなくなり、肥料の繰出しが切りになる。２枚のシャッター４５のいずれもを開き側に操作すると、供給口４４が全開状態になって繰出しロール４３の一方の片側半分における繰出し凹部４３ａと、他方の片側半分における繰出し凹部４３ａとのいずれにも肥料が供給されることになり、肥料の繰出しが入りになるとともに単位時間当たりの繰出し量が多くなる。これに対し、２枚のシャッター４５のいずれか一方を開き側で他方を閉じ側に操作すると、供給口４４が半開き状態になり、繰出しロール４５のいずれか一方の片側半分における繰出し凹部４３ａのみに肥料が供給されることになり、肥料の繰出しが入りになるとともに単位時間当たりの繰出し量が少なくなる。
【００５６】
図１８に示すように、前記施肥量調節機構９５は、板金部材で成る前記アーム側連動部材９６と、このアーム側連動部材９６の一端側を前記操作アーム８５の背板部８５ａに締め付け連結する連結ネジ９８と、横断面コの字形状の板金部材で成るとともに前記駆動杆８６の端部が連結ピン９７ａによって連結している前記駆動側連動部材９７と、この駆動側連動部材９７の背板部９７ｂを前記アーム側連動部材９６の背板部９６ａに連結している調節ネジ９９とを備えて構成してある。
【００５７】
アーム側連動部材９６は、これの一対の横板部にわたって固設してある位置決めピン９６ｂが、操作アーム８５の縦板部に操作アーム８５の長手方向に並べて設けてある複数個の位置決め凹部８５ｂから選択した一つに入り込んだ連結位置にして前記連結ネジ９８によって操作アーム８５の背板部８５ａに締め付け連結するように構成してある。
つまり、アーム側連動部材９６の連結ネジ９８による操作アーム８５に対する締め付けを解除すると、操作アーム８５の連結ネジ９８のためのネジ孔８５ｃが長孔であることにより、アーム側連動部材９６を連結ネジ９８と共に操作アーム８５に対してスライド調節でき、このスライド調節を行って位置決めピン９６ｂが入り込む操作アーム８５の位置決め凹部８５ｂを変更することにより、アーム側連動部材９６の操作アーム８５に対する連結位置が操作アーム８５の長手方向に、位置決め凹部８５ｂの並ぶピッチによって決まる位置変更ピッチで変化するようにしてある。
【００５８】
駆動側連動部材９７に一端側が固着されている前記調節ネジ９９の他端側に装着されているナットで成る調節部材９９ａを回動調節することにより、駆動側連動部材９７の前記位置決めピン９６ｂが挿通しているピン孔９７ｃ、前記アーム側連動部材９６の前記連結ピン９７ａの端部が入り込んでいるピン孔９６ｃのそれぞれが長孔であることにより、駆動側連動部材９７のアーム側連動部材９６に対する連結位置が、操作アーム８５の長手方向に沿う方向に、調節ネジ９９のネジピッチで決まる位置変更ピッチであって、かつ、アーム側連動部材９６の操作アーム８５に対する位置変更ピッチよりも小さな位置変更ピッチで変化するように構成してある。
【００５９】
これにより、施肥量調節機構９５は、駆動杆８６の往復動力を駆動側連動部材９７及びアーム側連動部材９６を介して操作アーム８５に伝達することにより、駆動杆９７による操作アーム８５の駆動を可能にしている。そして、アーム側連動部材９６の操作アーム８５に対する連結位置を変更することにより、操作アーム８５における駆動杆８６の連結位置を操作アーム８５の長手方向に比較的大きな変更ピッチで変更して操作アーム８５が駆動杆８６によって駆動される揺動角度を大まかに変更し、各肥料繰出し装置４０における単位時間当たりの肥料繰出し量の粗調節を行う。そして、駆動側連動部材９７のアーム側連動部材９６に対する連結位置を変更することにより、操作アーム８５における駆動杆８６の連結位置を操作アーム８６の長手方向に比較的小さな変更ピッチで変更して操作アーム８５が駆動杆８６によって駆動される揺動角度を微細に変更し、各肥料繰出し装置４０における単位時間当たりの肥料繰出し量の微調節を行う。
【００６０】
前記肥料供給装置部３０の複数の肥料排出口４１に各別に接続している前記複数の肥料供給路５０のそれぞれは、図６の如く肥料繰出し装置４０の繰出しケース４２とは別部品に作製して肥料繰出し装置４０の前記肥料排出口４１に継ぎ手５１ａによって基端側が接続している非可撓性の樹脂製管部材５１と、この管部材５１の先端側に継ぎ手５１ａによって一端側が接続している可撓性のホース５２と、図３の如くこのホース５２の他端側に肥料供給管５６の入口が接続している空気抜き機構５５と、図２０の如くこの空気抜き機構５５の前記肥料供給管５６の出口を前記作溝施肥具７０に接続している非可撓性の樹脂製管部材５３とによって構成してある。
【００６１】
肥料供給装置部３０は、図４、図５、図２１などに示す取付け構造により、自走車体の左右一対の角パイプ材で成る車体前後向きの車体メインフレーム５によって支持させてある。
【００６２】
左右一対の車体メインフレーム５の後部に各別に立設されている左右一対の板金製車体フレーム７５の一方の後端側の上部に連結部材１０１ａを介して下端側が連結していて前記車体フレーム７５の後部に立設されている一方の車繰出し支柱１０１と、他方の板金製車体フレーム７５の後端側の上部に前記連結部材１０１ａを介して下端側が連結していて他方の車体フレーム７５の後部に立設されている繰出し支柱１０１と、前記両繰出し支柱１０１の上端部どうしにわたって車体横向きの後枠部１０３が連結していて両繰出し支柱１０１によって支持されている繰出し支持枠１０２と、前記両板金製車体フレーム７５の上端側の車体前後方向での中間部どうしにわたって連結している車体横向きの丸パイプ材で成る車体フレーム７６の支持部７６ａに立設されている左右一対の丸パイプ材で成るタンク支柱１０７と、この両タンク支柱１０７の上端部どうしにわたって連結していて両タンク支柱１０７によって支持されている車体横向きの丸パイプ材で成るタンク支持体１０８とのそれぞれを、自走車体の運転座席４の後側に設け、前記繰出し支持枠１０２の前記後枠部１０３を、前記各繰出し装置４０の繰出しケース４２の後面側に連結ボルト１０３ａによって連結し、前記繰出し支持枠１０２の前記後枠部１０３の前方側に位置している車体横向きの丸棒材で成る前枠部１０４を、前記各繰出し装置４０の繰出しケース４２の前面側に連結ボルト１０４ａによって連結し、前記タンク支持体１０８を、肥料タンク３１の前記各下細り底部３１ａの前面側に支持作用するように当接させてある。
【００６３】
図２２、図２３などに示すように、前記左右一対のタンク支柱１０７それぞれと、前記繰出し枠体１０２の前枠部１０４とにわたって連結部材１０９を取付け、タンク支柱１０７と繰出し枠体１０２とが連結部材１０９によって連結されて互いに支持し合うように構成してある。
【００６４】
図２１に示すように、前記繰出し支持枠１０２は、車体前後方向に並んでいるとともに互いに平行になっている前記後枠部１０３と前記前枠部１０４のそれぞれと、この前枠部１０４と後枠部１０３の両端部どうしを連結している帯板金で成る左右一対の外側連結枠部１０５と、この外側連結枠部１０５よりやや車体内方側で、かつ、前記連結部材１０９の近くで前枠部１０４と後枠部１０３とを連結している左右一対の内側連結枠部１０６とのそれぞれによって構成してある。
【００６５】
前記送風機６１は、図４、図１３、図１４、図１５・に示す取付け構造により、自走車体の前記一対の車体メインフレーム５によって支持させてある。
【００６６】
すなわち、前記左右一対の板金製車体フレーム７５のそれぞれに貫通孔７５ａを設け、送風機６１のブロワ６２の回転軸芯６２ｃが車体横向きになり、かつ、ブロワ６２の吹出し口６２ｂが車体上方向きでやや後ろ向きになって肥料繰出し装置４０の方に向かう状態になり、さらに、ブロワ６２が前記左右一対の板金製車体フレーム７５どうしの間に位置し、さらに、送風機６１の電動モータ６３が前記一方の板金製車体フレーム７５の前記貫通孔７５ａを、前記吸気ダクト６８が前記他方の板金製車体フレーム７５の前記貫通孔７５ａをそれぞれ挿通する取付け姿勢にして運転座席４の下方に配置し、吸気ダクト６８が位置している方の前記車体メインフレーム５に固定されている支持体７７にブロワケースの下端側を連結ボルトによって締め付け連結し、電動モータ６３が貫通している方の前記板金製車体フレーム７５の前記貫通孔７５ａの下端側のまわりに付設してあるゴム製の緩衝材７５ｂを介して板金製車体フレーム７５によって電動モータ６３を受け止め支持させてある。
【００６７】
図１５に示すように、前記送風ダクト６５における前記分配ダクト部６６の最も車体横外側に位置する２個の肥料繰出し装置４０それぞれの前記風取入れ口４８に接続している部分と、この２個の肥料繰出し装置４０に隣接している車体内側の２個の肥料繰出し装置４０それぞれの前記風取入れ口４８に接続している部分との間に、分配ダクト部６６とは別部品に作製した図２５の如き絞り形成部材１１３を内装して絞り部１１４を設けてあるとともに、この絞り部１１４は、分配ダクト部６６の前記中央部分６６ａで分配ダクト部６６の両端側に分岐して流入した来た肥料搬送風に流動抵抗を与え、肥料搬送風が分配ダクト部６６の風上側に接続している車体内側の肥料繰出し装置４０と、これよりも風下側に接続している車体外側の肥料繰出し装置４０とに極力均等に分散して流入するようにしている。
【００６８】
図６、図８に示すように、前記各繰出しケース４２において、繰出しケース４２の下部の前側に、２個の肥料繰出し装置４０，４０に共通の一つの残留肥料取り出し口４９を設け、繰出しケース４２とは別部品に作製して前記残留肥料繰出し口４９に基端側を接続してある非可撓性樹脂で成る管部材１２７と、この管部材１２７の先端側に一端側が接続している可撓性のホース１２８とによって、残留肥料の排出管路１２９を構成してある。
【００６９】
すなわち、図２９に示す如く前記残留肥料取り出し口４９の内部に揺動開閉自在に位置する弁体１３０の支軸１３１の端部に付いている開閉レバー１３２によって前記支軸１３１を介して前記弁体１３０を開き側に揺動操作して残留肥料取り出し口４９を開くことにより、２個の肥料繰出し装置４０の繰出しケース内に残った肥料を残留肥料取り出し口４９から排出管路１２９に流下させて前記ホース１２８の先端側によって形成してある取り出し口１２８ａ（図２６）から取出せるようにしてある。この肥料取り出しを行わない場合、図２６に示すように、前記ホース１２８の肥料取り出し口１２８ａを車体部分に固定されているホースホルダーに兼用のホースキャップ１３３に装着しておくことにより、ホース１２８を開口が閉じた状態にして格納できるようにしてある。
【００７０】
各肥料繰出し装置４０において、図３０に示すように、繰出しロール４３の下部側に、繰出しロール４３に清掃作用する清掃ブラシ１６４を設けてある。この清掃ブラシ１６４は、ブラシ毛部１６４ａの伸展状態での中心の延長線１６４ｂが繰出しロール４３の回動軸芯４３ｂを外れている状態で繰出しケース４２の支持部１６５に固定してあり、繰出しロール４３の繰出し凹部４３ａから肥料をブラシ毛部１６４ａによって掻き出し処理するように構成してある。
【００７１】
図７に示すように、前記回転支軸４７の一方の端部と、繰出しロール４３どうしの間の部分とに位置決めリング１６７を装着してある。この位置決めリング１６７は、繰出しロール４３の回転支軸４７に対する回転支軸芯方向での位置決めを行うものであり、図７、図３１に示す止着構造によって回転支軸４７に止着してある。
すなわち、回転支軸４７と繰出しロール４３とが一体回転自在に係合し合うように回転支軸４７に備えてある突条４７ｂに図３２（ロ）の如き切欠き部４７ｃを設け、位置決めリング１６７の内周側に備えてある図３２（イ）の如き係止爪１６７ａを前記切欠き部４７ｃに入り込ませて位置決めリング１６７と回転支軸４７とを係合させ合うことにより、位置決めリング１６７を回転支軸４７に止着してある。
【００７２】
繰出しケース４２の繰出しロール４３が位置している繰出し室に繰出しロール４３からの肥料を前記肥料排出口４１に落下させるように設けてある肥料供給口４２ｂを、図３３の如き形状にしてある。すなわち、繰出しロール４３の回動軸芯４３ｂに沿う方向での長さＬ１より、肥料排出口４１での肥料排出方向に沿う方向での長さＬ２の方が大である形状にしてある。
【００７３】
複数個の苗植付機構２２のうちの最も植付け機体左端に位置するものとこれに隣接しているものとの２個の苗植付機構２２に対する伝動を入り切りすることによって左側２条の苗植付けを可能にしたり停止させる少数条植えクラッチ１３５と、複数個の苗植付機構２２のうちの最も植付け機体右端に位置するものとこれに隣接しているものとの２個の苗植付機構２２に対する伝動を入り切りすることによって右側２条の苗植付けを可能にしたり停止させる少数条植えクラッチ１３５と、複数個の苗植付機構２２のうちの前記左側２個の苗植付機構２２と前記右側２個の苗植付機構２２以外の中央に位置する２個の苗植付機構２２に対する伝動を入り切りすることによって中央２条の苗植付けを可能にしたり停止させる少数条植えクラッチ１３５とのそれぞれを前記植付けケース２４の内部に設けてある。
【００７４】
前記苗載せ台２５の左端の苗載置部、及び、これに隣接する苗載置部に載置された苗の縦送りをするように設けられている苗縦送りベルト２６（図２）に対する伝動を入り切りすることによって前記左側２個の苗植付機構２２に対する苗供給を可能にしたり停止するための縦送りクラッチ１３６と、前記苗載せ台２５の右端の苗載置部とこれに隣接する苗載置部とにこれに載置された苗の縦送りをするように設けられている苗縦送りベルト２６に対する伝動を入り切りすることによって前記右側２個の苗植付機構２２に対する苗供給を可能にしたり停止するための縦送りクラッチ１３６、前記苗載せ台２５の前記左側２箇所の苗載置部と前記右側２箇所の苗載置部以外の中央２箇所に位置する苗載置部にこれに載置された苗の縦送りをするように設けられている苗縦送りベルト２６に対する伝動を入り切りすることによって前記中央２個の苗植付機構２２に対する苗供給を可能にしたり停止するための縦送りクラッチ１３６とのそれぞれを苗載せ台２５の裏側に設けてある。
【００７５】
前記左側２個の苗植付機構２２に対する伝動の入り切りを行う前記少数条植えクラッチ１３５と、この少数条植えクラッチ１３５が制御対象とする前記左側２個の苗植付機構２２に対する苗供給の入り切りを行う前記縦送りクラッチ１３６と、前記複数の少数条施肥クラッチ９０のうち、前記少数条植えクラッチ１３５が制御対象とする前記左側２個の苗植付機構２２に対応する施肥を入り切りする一つの少数条施肥クラッチ９０、すなわち、左側２個の苗植付機構２２による植付け苗に肥料供給する２個の肥料繰出し装置４０に対する伝動を入り切りする一つの少数条施肥クラッチ９０とは、前記肥料供給装置部３０と運転座席４との間に配置してある一つのクラッチレバー１４０を備えるクラッチ操作装置によって操作するように構成してあり、このクラッチ操作装置は、図２７などに示す如く構成してある。
【００７６】
すなわち、図２２などに示すように、クラッチレバー１４０は、前記肥料供給装置部３０の取付け構造に備えてある前記左側の連結部材１０９の前記タンク支柱１０７から前方に突出している前端部に備えてある支持部１０９ａの支軸１０９ｂによって車体横向きの軸芯１４０ａまわりで揺動するように支持させてある。クラッチレバー１４０の基端部にインナーケーブル１４１ａの一端側が連結している操作ケーブル１４１の他端側の２本の分岐ケーブル部の一方におけるインナーケーブル１４１ｂを少数条植えクラッチ１３５の揺動アーム式の操作部１３５ａに、他方の分岐ケーブル部におけるインナーケーブル１４１ｂを縦送りクラッチ１３６の揺動アーム式の操作部１３６ａにそれぞれ連結し、前記操作ケーブル１４１のアウターケーブル１４１ｃのクラッチレバー側の端部を固定してあるとともに繰出し支持枠１０２の前記後枠部１０３によって揺動自在に支持されている揺動リンク１４２を、連動ロッド１４３によって少数条施肥クラッチ９０の前記操作部９４に連結することにより、クラッチレバー１４０を各クラッチ９０，１３５，１３６の操作部９４，１３５ａ１３６ａに連動させてある。
【００７７】
つまり、クラッチレバー１４０を前記軸芯１４０ａまわりで上下に揺動操作し、図２４に実線で示すように、クラッチレバー１４０がこれの全体にわたって肥料タンク３１の車体前後方向での大きさが最も大きい上端部での前面３１ｄで成る肥料供給装置部３０の最前端部より車体後方側に引退し、かつ、肥料供給装置部３０の最大前後幅としての肥料タンク３１の前後幅の内側に入り込む下降取付け状態になった入り操作位置ＯＮに操作すると、各分岐ケーブル部におけるインナーケーブル１４１ｂが緩め操作されて操作部１３５ａ、１３６ａを少数条植えクラッチ１３５、縦送りクラッチ１３６が備えている入り復元力によって入り側に揺動操作し、アウターケーブル１４１ｃが緩め操作されて操作部９４を少数条施肥クラッチ９０の前記クラッチバネ９３による入り復元力によって入り側に揺動操作し、少数条植えクラッチ１３５、縦送りクラッチ１３６、少数条施肥クラッチ９０のそれぞれが入り状態になる。すなわち、左側２条の苗植付けと施肥とが可能になる。
【００７８】
これに対し、図５に実線で示すように、クラッチレバー１４０を、クラッチレバー１４０の先端側が肥料供給装置部３０の前記最前端部３１ｄより前方側に突出する上昇取付け状態となった切り操作位置ＯＦＦに操作すると、各分岐ケーブル部におけるインナーケーブル１４１ｂが引っ張り操作されて操作部１３５ａ，１３６ａを切り位置に揺動操作し、アウターケーブル１４１ｃのレバー側端部が押し操作されて揺動リンク１４２及び連動ロッド１４３を介して操作部９４を切り位置に揺動操作し、少数条植えクラッチ１３５、縦送りクラッチ１３６、少数条施肥クラッチ９０のそれぞれが切り状態になる。すなわち、左側２条の苗植付けと施肥とが停止する。
【００７９】
右側２条の苗植付け及び施肥を可能にしたり停止する少数条植えクラッチ１３５、縦送りクラッチ１３６及び少数条施肥クラッチ９０は、肥料供給装置部３０の取付け構造に備えてある右側の連結部材１０９のタンク支柱１０７より車体前方側に突出している前端部に備えてある支持部１０９ａの支軸１０９ｂによって上下揺動自在に支持されているクラッチレバー１４０により、各クラッチ１３５，１３６，９０が共に切り状態になったり、共に入り状態になるように切り換え操作するように構成してある。中央２条の苗植付け及び施肥を可能にしたり停止する前記少数条植えクラッチ１３５、縦送りクラッチ１３６及び少数条施肥クラッチ９０は、肥料供給装置部３０の取付け構造に備えてある前記左側の連結部材１０９の前記支持部１０９ａによって上下揺動自在に支持されているクラッチレバー１４０により、各クラッチ１３５，１３６，９０が共に切り状態になったり、共に入り状態になるように切り換え操作するように構成してある。これらクラッチレバー１４０の各クラッチを切り状態に切り換える操作位置ＯＦＦ、及び、各クラッチを入り状態に切り換え操作する操作位置ＯＮも、左側２条の苗植付けと施肥の入り切りのための前記クラッチレバー１４０の操作位置ＯＦＦ，ＯＮと同様に設定してある。また、各クラッチレバー１４０も、左側２条の苗植付けと施肥の入り切りのための前記クラッチレバー１４０と同様に、クラッチ側に一対の分岐ケーブル部を備えている操作ケーブル１４１を介して少数条植えクラッチ１３５と縦送りクラッチ１３６とに連動させてある。ただし、中央２条及び右側２条の苗植付けと施肥の入り切りを行うクラッチレバー１４０については、操作ケーブルのアウターケーブル１４１のレバー側端部を少数条施肥クラッチ９０の操作部９４に直接に固定して、少数条施肥クラッチ９０に連動させてある。また、中央２条の施肥の入り切りを行う一対の少数条施肥クラッチ９０は、これらの操作部９４どうしを連動ロッド１４３によって連結することによってクラッチレバー１４０に連動させてある。
【００８０】
図２７、図２８に示すように、前記繰出し支持枠１０２の後枠部１０３の一端部によって軸芯１７１ａまわりで揺動自在に支持されている揺動レバー式のクラッチ一括操作具１７１、と、このクラッチ一括操作具１７１の出力アーム部１７１ｂに一端側が回動自在に連結している連動杆１７２と、この連動杆１７２の他端側に一端側が相対回動自在に連結している車体横向きに長い帯板で成る操作杆１７３とにより、全ての少数条施肥クラッチ９０を一括して操作するクラッチ操作装置１７０を構成してある。
【００８１】
連動杆１７２を作製しているロッドの端部で成り、連動杆１７２を前記操作杆１７３に連結している連結ピン１７４が前記後枠部１０３の車体横向きの長孔１０３ｂに摺動自在に入り込んでいてこの後枠部１０３の上面側に操作杆１７３の端部を摺動自在に取付けていることと、操作杆１７３の他端側に位置する長孔に摺動自在に入り込むように構成して前記後枠部１０３に付設してある支持ピン１７５がこの後枠部１０３の上面側に操作杆１７３の他端側を摺動自在に取付けていることにより、クラッチ一括操作具１７１が前記軸芯１７１ａまわりで揺動操作されると、この操作力が連動杆１７２によって操作杆１７３の一端側に伝達され、操作杆１７３が後枠部１０３の前記長孔１０３ｂと前記支持ピン１７５によって案内されて車体横方向に摺動するように構成してある。クラッチ一括操作具１７１が切り位置ＯＦＦに操作されると、操作杆１７３が図２８に示す切り方向ｏｆｆに摺動操作され、この操作杆１７３の複数箇所に設けてある操作部１７３ａの一つが、一方の車体横外側の２条の施肥を入り切りする少数条施肥クラッチ９０が入り状態になっていると、この少数条施肥クラッチ９０の前記操作部材９４に押圧作用してその少数条施肥クラッチ９０を切り状態に切り換え操作し、前記複数の操作部１７３ａの他の一つが、車体内側の２条の施肥を入り切りする少数条施肥クラッチ９０が入り状態になっていると、この少数条施肥クラッチ９０の前記操作部材９４に押圧作用してその少数条施肥クラッチ９０を切り状態に切り換え操作し、前記複数の操作部１７３ａのさらに他の一つが、他方の車体外側の２条の施肥を入り切りする少数条施肥クラッチ９０の前記操作部材９４に連動している前記揺動リンク１４２に押圧作用してその少数条施肥クラッチ９０を切り状態に切り換え操作するように構成してある。このとき、操作部材９４が操作ケーブル１４１のインナーケーブル１４１ａを操作しないことから、クラッチレバー１４０をクラッチ入り位置ＯＮにしたままで少数条施肥クラッチ９０を切り状態に切り換え操作する。この状態から、クラッチ一括操作具１７１がクラッチ入り位置ＯＮに操作されると、操作杆１７３が図２８に示す入り方向ｏｎに摺動操作され、これの前記各操作部１７３ａが前記操作部材９４、揺動リンク１４２に対する押圧操作を解除して少数条施肥クラッチ９０を前記クラッチバネ９３によって入り状態に戻し操作する。
【００８２】
つまり、前記クラッチ操作装置１７０にあっては、クラッチ一括操作具１７１をクラッチ切り位置ＯＦＦに操作することにより、各クラッチレバー１４０がクラッチ入り位置ＯＮに在っても、少数条植えクラッチ１３５と少数条施肥クラッチ９０のうちの少数条施肥クラッチ９０だけをクラッチレバー１４０に優先して切り状態に切り換え操作できる。これにより、各クラッチレバー１４０をクラッチ入り位置ＯＮに操作するとともにクラッチ一括操作具１７１をクラッチ切り位置ＯＦＦの操作することにより、全ての少数条施肥クラッチ９０を切り状態にしながら各少数条植えクラッチ１３５を入り状態にして各苗植付機構２２を駆動し、施肥を行わない状態での全数条植え付けが行える。
【００８３】
図５に示す如く各クラッチレバー１４０に操作ロッド１４５を介して連結している揺動リンク１４６は、苗植付装置２０が上昇非作業状態に持上げ操作された際、クラッチレバー１４０が切り操作位置ＯＦＦになっておればこのクラッチレバー１４０を自動的に入り操作位置ＯＮに切り換え操作して少数条植えクラッチ１３５、縦送りクラッチ１３６、少数条施肥クラッチ９０のそれぞれを自動的に入り側に切り換えるものである。すなわち、苗植付装置２０が上昇操作された際、クラッチレバー１４０が切り位置ＯＦＦになっていると、揺動リンク１４６が前記リンク機構６の上昇駆動力によって揺動操作され、操作ロッド１４５を介してクラッチレバー１４０を入り操作位置ＯＮに切り換え操作する。
【図面の簡単な説明】
【図１】
施肥装置付き乗用型田植機全体の側面図
【図２】
施肥装置付き乗用型田植機全体の平面図
【図３】
苗植付装置の側面図
【図４】
肥料供給装置部の後面図
【図５】
肥料供給装置部の側面図
【図６】
肥料繰出し装置の縦断側面図
【図７】
肥料繰出し装置の縦断後面図
【図８】
肥料繰出し装置の正面図
【図９】
繰出しケース内の平面図
【図１０】
送風装置部の平面図
【図１１】
送風装置部の側面図
【図１２】
吸気ダクト先端部及びマフラーカバーの断面図
【図１３】
送風機配設部の左側面図
【図１４】
送風機配設部の右側面図
【図１５】
送風機配設部の平面図
【図１６】
少数条施肥クラッチの平面図
【図１７】
施肥量調節機構の側面図
【図１８】
施肥量調節機構の断面図
【図１９】
リンク機構の平面図
【図２０】
空気抜き機構及び作溝施肥具の配設部を示す後面図
【図２１】
繰出し支持枠の平面図
【図２２】
クラッチレバー配設部の側面図
【図２３】
クラッチレバー配設部の平面図
【図２４】
クラッチレバーの操作位置を示す説明図
【図２５】
送風ダクトの絞り部を示す断面図
【図２６】
排出管路のホースの格納状態を示す正面図
【図２７】
クラッチ操作装置の概略平面図
【図２８】
少数条施肥クラッチの平面図
【図２９】
開閉レバー配設部の側面図
【図３０】
繰出し装置の清掃ブラシ配設部での縦断側面図
【図３１】
位置決めリングの取付け構造を示す断面図
【図３２】
（イ）は、位置決めリングの断面図、（ロ）は、繰出しロール回転支軸の断面図
【図３３】
肥料供給口の平面図
【符号の説明】
４        運転座席
２０      苗植付装置
２２      苗植付機構
３０      肥料供給装置部
３０ｄ    肥料供給装置部の最前端部
９０      少数条施肥クラッチ
１３５    少数条植えクラッチ
１４０    クラッチ操作具
１７１    クラッチ一括操作具
Ｓ        施肥装置
ＯＮ      クラッチ入り位置